(57)【要約】　　　（修正有）【課題】ディスクの２枚挿入を確実に検出することができるディスク装置を提供すること。【解決手段】ディスク１０２が挿入されるディスク挿入口が形成された基板部材１１０と、ディスク挿入口近傍に配置され、ディスクの外周部に当接しながらローディングすることにより作動する摺動板１２０と、摺動板１２０に当接しながら回動するレバー部材１３０と、レバー部材１３０よりもローディング方向Ａ奥側に配置され、ディスクの外周部に当接しながらローディングすることにより回動するレバー動部材１４０と、レバー部材１３０の動作を検出する光検出部１５０と、レバー動部材１４０の動作を検出する光検出部１５１と、光検出部１５０および光検出部１５１の検出結果に基づいて、ディスク挿入口に挿入されたディスクの挿入状態を識別する識別部とを備えるように構成する。【選択図】　図１
2004022128.tif 000002
【特許請求の範囲】
【請求項１】
ディスクが挿入されるディスク挿入口が形成された基板部材と、
前記ディスクの挿入口近傍に配置され、前記ディスクの外周部に当接しながら作動する作動部材と、
前記作動部材に当接しながら回動する第１の回動部材と、
前記第１の回動部材よりも前記ディスクの挿入方向奥側に配置され、前記ディスクの外周部に当接しながら回動する第２の回動部材と、
前記第１の回動部材の動作を検出する第１の検出手段と、
前記第２の回動部材の動作を検出する第２の検出手段と、
前記第１の検出手段および前記第２の検出手段の検出結果に基づいて、前記ディスク挿入口に挿入された前記ディスクの挿入状態を識別する識別手段とを備えたことを特徴とするディスク装置。
【請求項２】
ディスクが挿入されるディスク挿入口が形成された基板部材と、
前記ディスクの挿入口近傍に配置され、前記ディスクの外周部に当接しながら作動する作動部材と、
前記作動部材に当接しながら回動する第１の回動部材と、
前記第１の回動部材よりも前記ディスクの挿入方向奥側に配置され、前記ディスクの外周部に当接しながら回動する第２の回動部材と、
前記第２の回動部材の回動軸の外側に設けられた被係合部に係合する係合部を有し、前記第１の回動部材の回動軸と同一の回動軸を中心に回動する第３の回動部材と、
前記第３の回動部材が前記第１の回動部材に当接する方向に前記第３の回動部材を付勢する付勢部材と、
前記第３の回動部材の動作を検出する第１の検出手段と、
前記第２の回動部材の動作を検出する第２の検出手段と、
前記第１の検出手段および前記第２の検出手段の検出結果に基づいて、前記ディスク挿入口に挿入された前記ディスクの挿入状態を識別する識別手段とを備えたことを特徴とするディスク装置。
【請求項３】
前記第１の検出手段は、発光体と受光体とを有するフォトインタプラタによって構成されたことを特徴とする請求項１または請求項２に記載のディスク装置。
【請求項４】
前記第２の検出手段は、発光体と受光体とを有するフォトインタプラタによって構成されたことを特徴とする請求項１から請求項３までの何れかに記載のディスク装置。
【請求項５】
前記ディスク挿入口に沿って配置され、前記ディスクの通過を検出する複数の光検出手段と、
前記基板部材に回転可能に支持され、前記ディスク挿入口に挿入された前記ディスクを搬送するローラ部材と、
前記識別手段の識別結果および前記光検出手段の検出結果に基づいて、前記ローラ部材の動作を制御する制御手段とを備えたことを特徴とする請求項１から請求項４までの何れかに記載のディスク装置。
【請求項６】
前記制御手段は、前記識別手段が前記ディスクの１枚挿入を検出した場合には、前記ローラ部材が前記ディスクを装置内に搬入するように前記ローラ部材の動作を制御することを特徴とする請求項５に記載のディスク装置。
【請求項７】
前記制御手段は、前記識別手段が前記ディスクの１枚挿入途中の抜き取りを検出した場合には、前記ローラ部材が前記ディスクの挿入待ち状態になるように前記ローラ部材の動作を制御することを特徴とする請求項５または請求項６に記載のディスク装置。
【請求項８】
前記制御手段は、前記識別手段が前記ディスクの２枚挿入を検出した場合には、前記ローラ部材が前記ディスクの装置内への搬入を停止するように前記ローラ部材の動作を制御することを特徴とする請求項５から請求項８までの何れかに記載のディスク装置。
【請求項９】
前記制御手段は、前記識別手段が前記ディスクの２枚挿入を検出した場合には、前記ローラ部材が前記ディスクの装置内への搬入を停止するとともに前記ディスクを装置外に搬出するように前記ローラ部材の動作を制御することを特徴とする請求項５から請求項８までの何れかに記載のディスク装置。
【請求項１０】
前記制御手段は、前記第２の検出手段の検出結果に基づいて、前記ローラ部材による前記ディスクの装置内への搬入が完了したことを検出することを特徴とする請求項５から請求項９までの何れかに記載のディスク装置。
【請求項１１】
前記基板部材は、前記ローラ部材を前記ディスクの厚み方向に移動可能に支持する支持部と、前記ディスクの厚み方向に移動する前記ローラ部材を前記ディスクの２枚挿入を防止する位置に規制する規制部とを有することを特徴とする請求項５から請求項１０までの何れかに記載のディスク装置。
【請求項１２】
請求項１から請求項１１までの何れかに記載のディスク装置を備えたことを特徴とする電子装置。
【請求項１３】
請求項１から請求項１１までの何れかに記載のディスク装置を備えたことを特徴とする車載用電子装置。
【発明の詳細な説明】
【０００１】
【発明の属する技術分野】
本発明は、ＣＤ（Ｃｏｍｐａｃｔ　Ｄｉｓｃ）、ＤＶＤ（Ｄｉｇｉｔａｌ　Ｖｅｒｓａｔｉｌｅ　Ｄｉｓｃ）などのディスクに情報を記録するあるいはあらかじめ記録された情報を再生するディスク装置に関する。
【０００２】
【従来の技術】
従来のディスク装置としては、例えば、特開２０００−１６３８４０号公報に開示されたディスク装置が知られている。このような従来のディスク装置は、ディスクの外周部に当接しながら作動する作動部材と、作動部材の動作およびディスクの記録面の通過を検出する複数の光検出部とを備えており、光検出部によって検出された作動部材の動作タイミングおよびディスクの通過タイミングに基づいてディスクの挿入状態を識別し、ディスクの２枚挿入を検出するようになっていた。
【０００３】
図２０および図２１において、従来のディスク装置３００は、ディスクが挿入されるディスク挿入口３１１が形成された基板部材３１０と、ディスクの外周部に当接しながら摺動する摺動板３２０と、摺動板３２０の動作およびディスクの記録面の通過を検出する複数の光検出部３６０、３６１とを備えている。
【０００４】
基板部材３１０は、ディスク装置の筐体３０１に固定された下基板３１２と、下基板３１２に支持されて回動可能な上基板３１３とを有している。ディスク挿入口３１１は、上基板３１３と下基板３１２との間に形成されている。上基板３１３には、小孔３１６、３１７が形成されている。
【０００５】
摺動板３２０は、上基板３１３に形成されたガイド溝３１３ａに挿入された軸３２０ａと、上基板３１３に形成されたガイド溝３１３ｂに挿入された軸３２０ｂとを有しており、上基板３１３の上面に摺動可能に支持されている。摺動板３２０は、軸３２０ａ、３２０ｂがガイド溝３１３ａ、３１３ｂに沿ってそれぞれ移動することにより、図２０中の左右方向に摺動するようになっている。摺動板３２０は、一端が上基板３１３に係止されるとともに他端が摺動板３２０に係止されたバネ３２１の弾性力により、図２０中の右方向に付勢されている。摺動板３２０は、摺動板３２０の一端に植設されたピン３２２を有しており、このピン３２２は、上基板３１３の切欠部を通ってディスク挿入口３１１内に突出している。摺動板３２０には、小孔３２３および大孔３２４が形成されている。
【０００６】
光検出部３６０は、下基板３１２に取り付けられた受光素子３６０ａと、ディスク装置の図示しない筐体に取り付けられ、受光素子３６０ａに対向する発光素子３６０ｂとを有しており、ディスク挿入口３１１の幅方向の左端部側に配置されている。光検出部３６１は、下基板３１２に取り付けられた受光素子３６１ａと、ディスク装置の図示しない筐体に取り付けられ、受光素子３６１ａに対向する発光素子３６１ｂとを有しており、ディスク挿入口３１１の幅方向のほぼ中央に配置されている。
【０００７】
このように構成されたディスク装置３００は、光検出部３６０によって検出された摺動板３２０の動作タイミングおよびディスクの通過タイミングに基づいて、ディスクの挿入状態を識別するようになっている。以下、ディスクの挿入状態を識別する動作について説明する。
【０００８】
図２１および図２２において、ディスク挿入口３１１に１枚のディスクが挿入された場合には、摺動板３２０は、図２２に示す初期位置から、ディスク３０２の外周部にピン３２２が当接しながらローディングすることにより左方向に移動し、上基板３１３の小孔３１６を閉成する。このとき、上基板３１３の小孔３１７は、摺動板３２０の大孔３２４によって閉成されている。ディスク３０２がさらに挿入されると、摺動板３２０は左方向に移動し、ディスク３０２の外周部にピン３２２が当接した後、摺動板３２０は右方向に摺動する。ディスク３０２がさらに挿入されると、摺動板３２０は、図２２に示す初期位置に戻り、上基板３１３の小孔３１６は、摺動板３２０の小孔３２３によって開成される。
【０００９】
ここで、光検出部３６０は、発光素子３６０ｂの光が摺動板３２０またはディスク３０２の記録面によって遮光されて受光素子３６０ａに受光されないときにＨｉを出力し、発光素子３６０ｂの光が受光素子３６０ａに受光されたときにＬｏを出力するようになっているので、１枚のディスクがディスク挿入口３１１に挿入されてから、ディスクを装置内に搬入する動作であるディスクのローディングが完了するまでの光検出部３６０の出力は、ディスクの通過に伴って順にＬｏ、Ｈｉ、Ｌｏとなる。
【００１０】
一方、図２１および図２３において、ディスク挿入口３１１に２枚のディスクが挿入された場合には、光検出部３６０の出力は、ディスク挿入口３１１に挿入された１枚目のディスク３０２の通過に伴って順にＬｏ、Ｈｉ、Ｌｏとなる。続いて、ディスク挿入口３１１に２枚目のディスク３０５が挿入されると、光検出部３６０の出力は、ディスク３０５の通過に伴って、さらにＬｏ、Ｈｉとなる。また、ディスク３０５が透明な場合には、光検出部３６０の出力は、摺動板３２０の動作に伴ってＬｏ、Ｈｉとなる。これにより、ディスク挿入口３１１に２枚のディスクが挿入された場合の光検出部３６０の出力は、順にＬｏ、Ｈｉ、Ｌｏ、Ｈｉとなる。
【００１１】
したがって、ディスク装置３００は、ディスクのローディングが完了する前に光検出部３６０の出力が２回Ｈｉになった場合に、ディスク挿入口３１１に２枚のディスクが挿入されたと判定していた。そして、ディスク挿入口３１１に２枚のディスクが挿入されたと判定した場合には、ディスクのローディングを停止し、ディスクを装置外に搬出する動作であるディスクのイジェクトを行っていた。
【００１２】
【発明が解決しようとする課題】
しかしながら、上記従来のディスク装置においては、ディスク挿入口に挿入されたディスクの外周部に当接する１つの部材の動作タイミングに基づいてディスクの挿入状態を識別していたため、２枚のディスクのずらし量が小さい場合にはディスクの２枚挿入を誤検出する可能性があるという問題があった。
【００１３】
そこで、本発明は、このような問題を解決するため、ディスクの２枚挿入を確実に検出することができるディスク装置を提供することを目的とする。
【００１４】
【課題を解決するための手段】
上記の課題を解決するために、本発明のディスク装置は、ディスクが挿入されるディスク挿入口が形成された基板部材と、前記ディスクの挿入口近傍に配置され、前記ディスクの外周部に当接しながら作動する作動部材と、前記作動部材に当接しながら回動する第１の回動部材と、前記第１の回動部材よりも前記ディスクの挿入方向奥側に配置され、前記ディスクの外周部に当接しながら回動する第２の回動部材と、前記第１の回動部材の動作を検出する第１の検出手段と、前記第２の回動部材の動作を検出する第２の検出手段と、前記第１の検出手段および前記第２の検出手段の検出結果に基づいて、前記ディスク挿入口に挿入された前記ディスクの挿入状態を識別する識別手段とを備えた構成を有している。
【００１５】
この構成により、本発明のディスク装置は、ディスク挿入口に挿入されたディスクの外周部に当接する複数の部材の動作タイミングを比較することによりディスクの挿入状態を識別することができ、ディスクの２枚挿入を確実に検出することができる。
【００１６】
上記の課題を解決するために、本発明のディスク装置は、ディスクが挿入されるディスク挿入口が形成された基板部材と、前記ディスクの挿入口近傍に配置され、前記ディスクの外周部に当接しながら作動する作動部材と、前記作動部材に当接しながら回動する第１の回動部材と、前記第１の回動部材よりも前記ディスクの挿入方向奥側に配置され、前記ディスクの外周部に当接しながら回動する第２の回動部材と、前記第２の回動部材の回動軸の外側に設けられた被係合部に係合する係合部を有し、前記第１の回動部材の回動軸と同一の回動軸を中心に回動する第３の回動部材と、前記第３の回動部材が前記第１の回動部材に当接する方向に前記第３の回動部材を付勢する付勢部材と、前記第３の回動部材の動作を検出する第１の検出手段と、前記第２の回動部材の動作を検出する第２の検出手段と、前記第１の検出手段および前記第２の検出手段の検出結果に基づいて、前記ディスク挿入口に挿入された前記ディスクの挿入状態を識別する識別手段とを備えた構成を有している。
【００１７】
この構成により、本発明のディスク装置は、ディスク挿入口に挿入されたディスクの外周部に当接する複数の部材の動作タイミングを比較することによりディスクの挿入状態を識別することができ、ディスクの２枚挿入や１枚挿入途中の抜き取りなどを確実に検出することができる。
【００１８】
上記の課題を解決するために、本発明のディスク装置は、前記第１の検出手段は、発光体と受光体とを有するフォトインタプラタによって構成された構成を有している。
【００１９】
この構成により、本発明のディスク装置は、非接触型の検出器を用いることにより検出器の磨耗を防止することができ、検出器の故障の可能性を低減することができる。
【００２０】
上記の課題を解決するために、本発明のディスク装置は、前記第２の検出手段は、発光体と受光体とを有するフォトインタプラタによって構成された構成を有している。
【００２１】
この構成により、本発明のディスク装置は、非接触型の検出器を用いることにより、検出器の磨耗を防止することができ、検出器の故障の可能性を低減することができる。
【００２２】
上記の課題を解決するために、本発明のディスク装置は、前記ディスク挿入口に沿って配置され、前記ディスクの通過を検出する複数の光検出手段と、前記基板部材に回転可能に支持され、前記ディスク挿入口に挿入された前記ディスクを搬送するローラ部材と、前記識別手段の識別結果および前記光検出手段の検出結果に基づいて、前記ローラ部材の動作を制御する制御手段とを備えた構成を有している。
【００２３】
この構成により、本発明のディスク装置は、ディスクが正常に挿入された場合にはディスクの装置内への搬入を継続することができるとともにディスクが正常に挿入さなかった場合にはディスクの装置内への搬入を中止することができ、装置内へのディスクの２枚挿入を確実に防止することができる。
【００２４】
上記の課題を解決するために、本発明のディスク装置は、前記制御手段は、前記識別手段が前記ディスクの１枚挿入を検出した場合には、前記ローラ部材が前記ディスクを装置内に搬入するように前記ローラ部材の動作を制御する構成を有している。
【００２５】
この構成により、本発明のディスク装置は、ディスクが正常に挿入された場合にはディスクを装置内に搬入することができ、ディスクの記録、再生などの動作を継続させることができる。
【００２６】
上記の課題を解決するために、本発明のディスク装置は、前記制御手段は、前記識別手段が前記ディスクの１枚挿入途中の抜き取りを検出した場合には、前記ローラ部材が前記ディスクの挿入待ち状態になるように前記ローラ部材の動作を制御する構成を有している。
【００２７】
この構成により、本発明のディスク装置は、ディスクが正常に挿入されなかった場合でも、装置に損傷を与える可能性がない場合には、次のディスクを挿入可能な状態を維持することができ、装置の操作性を向上することができる。
【００２８】
上記の課題を解決するために、本発明のディスク装置は、前記制御手段は、前記識別手段が前記ディスクの２枚挿入を検出した場合には、前記ローラ部材が前記ディスクの装置内への搬入を停止するように前記ローラ部材の動作を制御する構成を有している。
【００２９】
この構成により、本発明のディスク装置は、２枚挿入されたディスクの装置内への搬入を確実に停止することができ、装置が誤動作する可能性および装置に損傷を与える可能性を低減することができる。
【００３０】
上記の課題を解決するために、本発明のディスク装置は、前記制御手段は、前記識別手段が前記ディスクの２枚挿入を検出した場合には、前記ローラ部材が前記ディスクの装置内への搬入を停止するとともに前記ディスクを装置外に搬出するように前記ローラ部材の動作を制御する構成を有している。
【００３１】
この構成により、本発明のディスク装置は、２枚挿入されたディスクの装置内への搬入を確実に停止することができるとともに２枚挿入されたディスクを装置外に確実に搬出することができ、装置が誤動作する可能性および装置に損傷を与える可能性を低減することができる。
【００３２】
上記の課題を解決するために、本発明のディスク装置は、前記制御手段は、前記第２の検出手段の検出結果に基づいて、前記ローラ部材による前記ディスクの装置内への搬入が完了したことを検出する構成を有している。
【００３３】
この構成により、本発明のディスク装置は、検出器の数量を低減することができ、装置の製造コストを低減することができる。
【００３４】
上記の課題を解決するために、本発明のディスク装置は、前記基板部材は、前記ローラ部材を前記ディスクの厚み方向に移動可能に支持する支持部と、前記ディスクの厚み方向に移動する前記ローラ部材を前記ディスクの２枚挿入を防止する位置に規制する規制部とを有する構成を有している。
【００３５】
この構成により、本発明のディスク装置は、装置内へのディスクの２枚挿入を確実に防止することができ、装置が誤動作する可能性および装置に損傷を与える可能性を低減することができる。
【００３６】
上記の課題を解決するために、本発明の電子装置は、ディスク装置を備えた構成を有している。
【００３７】
この構成により、本発明の電子装置は、ディスク挿入口に挿入されたディスクの外周部に当接する２つの部材の動作タイミングを比較することによりディスクの挿入状態を識別することができ、ディスクの２枚挿入を確実に検出することができる。
【００３８】
上記の課題を解決するために、本発明の車載用電子装置は、ディスク装置を備えた構成を有している。
【００３９】
この構成により、本発明の車載用電子装置は、ディスク挿入口に挿入されたディスクの外周部に当接する２つの部材の動作タイミングを比較することによりディスクの挿入状態を識別することができ、ディスクの２枚挿入を確実に検出することができる。
【００４０】
【発明の実施の形態】
以下、本発明の実施の形態について、図面を用いて説明する。
（第１の実施の形態）
【００４１】
図１から図１３は、本発明の第１の実施の形態に係るディスク装置を示す図である。なお、本実施の形態において、ディスクの挿入方向およびディスクの装置内への搬入方向であるローディング方向は矢印Ａで示され、ディスクの排出方向、ディスクの抜き取り方向およびディスクの装置外への搬出方向であるイジェクト方向は矢印Ｂで示され、ディスク挿入口の幅方向は矢印Ｃで示され、ディスクの厚み方向は矢印Ｄで示されている。
【００４２】
まず、本実施の形態に係るディスク装置の構成について説明する。
【００４３】
図１から図４において、ディスク装置１００は、筐体１０１と、ディスク１０２が挿入されるディスク挿入口１１１が形成された基板部材１１０と、筐体１０１内のディスク挿入口１１１近傍に配置され、挿入されたディスク１０２の外周部に当接しながらローディングすることにより作動する作動部材としての摺動板１２０と、摺動板１２０に当接しながら回動する第１の回動部材としてのレバー部材１３０と、レバー部材１３０よりもローディング方向Ａ奥側に配置され、ディスクの外周部に当接しながらローディングすることにより回動する第２の回動部材としてのレバー部材１４０と、レバー部材１３０の動作を検出する第１の検出手段としての光検出部１５０と、レバー部材１４０の動作を検出する第２の検出手段としての光検出部１５１と、光検出部１５０および光検出部１５１の検出結果に基づいて、ディスク挿入口１１１に挿入されたディスク１０２の挿入状態を識別する識別手段としての識別部１５２とを備えている。
【００４４】
基板部材１１０は、筐体１０１に固定された下基板１１２と、下基板１１２に支持されて回動可能な上基板１１３とを有している。ディスク挿入口１１１は、上基板１１３と下基板１１２との間に形成されている。下基板１１２には、ディスク挿入口１１１に挿入されたディスク１０２のディスク挿入口の幅方向Ｃの動作を規制するガイド部１１４、１１５が設けられている。上基板１１３には、小孔１１６、１１７が形成されている。
【００４５】
摺動板１２０は、上基板１１３に形成されたガイド溝１１３ａに挿入された軸１２０ａと、上基板１１３に形成されたガイド溝１１３ｂに挿入された軸１２０ｂとを有しており、上基板１１３の上面に摺動可能に支持されされている。摺動板１２０は、軸１２０ａ、１２０ｂがガイド溝１１３ａ、１１３ｂに沿ってそれぞれ移動することにより、図１中の左右方向、即ち、ディスク挿入口の幅方向Ｃに摺動するようになっている。摺動板１２０は、一端が上基板１１３に係止されるとともに他端が摺動板１２０に係止されたバネ１２１により図１中の右方向、即ち、ディスク挿入口の幅方向Ｃの右向きに付勢されている。摺動板１２０は、摺動板１２０の一端に植設されたピン１２２を有しており、このピン１２２は、上基板１１３の切欠部を通ってディスク挿入口１１１に突出している。摺動板１２０には、小孔１２３および大孔１２４が形成されている。
【００４６】
レバー部材１３０は、筐体１０１に支持され、回動軸１３１を中心に回動可能となっている。レバー部材１３０は、筐体１０１に設けられた突起１０３に当接する突起１３２と、摺動板１２０の一端に当接する突起１３３とを有しており、図示しないバネにより図１中の反時計回り方向に付勢されている。レバー部材１３０は、筐体１０１の突起１０３に突起１３２が当接することにより図１に示す初期位置に保持されている。レバー部材１３０は、図１中の左方向に移動した摺動板１２０の一端に突起１３３が当接しながら図１中の時計回り方向に回動するようになっている。
【００４７】
レバー部材１４０は、筐体１０１に支持され、回動軸１４１を中心に回動可能となっている。レバー部材１４０は、筐体１０１に設けられた突起１０４に当接する突起１４２と、ディスク挿入口１１１に挿入されたディスクに当接する突起１４３とを有しており、図示しないバネにより図１中の時計回り方向に付勢されている。レバー部材１４０は、筐体１０１の突起１０４に突起１４２が当接することにより図１に示す初期位置に保持されている。レバー部材１４０は、ディスク挿入口１１１に挿入されたディスクに突起１４３が当接しながら図１中の反時計回り方向に回動するようになっている。
【００４８】
光検出部１５０は、発光体としての発光素子と発光素子に対向する受光体としての受光素子とを有するフォトインタプラタによって構成されており、筐体１０１に設けられている。光検出部１５０は、レバー部材１３０に設けられた突起１３４の動作を検出することにより、レバー部材１３０の動作を検出するようになっている。光検出部１５０は、ＨｉまたはＬｏを示す信号を識別部１５２に出力するようになっており、レバー部材１３０の突起１３４が発光素子と受光素子との間の光路に侵入して発光素子の光が受光素子に受光されないときにＨｉを出力し、レバー部材１３０の突起１３４が発光素子と受光素子との間の光路から退出して発光素子の光が受光素子に受光されたときにＬｏを出力するようになっている。
【００４９】
光検出部１５１は、発光体としての発光素子と発光素子に対向する受光体としての受光素子とを有するフォトインタプラタによって構成されており、筐体１０１に設けられている。光検出部１５１は、レバー部材１４０に設けられた突起１４４の動作を検出することにより、レバー部材１４０の動作を検出するようになっている。光検出部１５１は、ＨｉまたはＬｏを示す信号を識別部１５２に出力するようになっており、レバー部材１４０の突起１４４が発光素子と受光素子との間の光路に侵入して発光素子の光が受光素子に受光されないときにＨｉを出力し、レバー部材１４０の突起１４４が発光素子と受光素子との間の光路から退出して発光素子の光が受光素子に受光されたときにＬｏを出力するようになっている。
【００５０】
また、ディスク装置１００は、ディスク挿入口１１１に沿って配置され、ディスク１０２の通過を検出する複数の光検出手段としての光検出部１６０、１６１、１６２と、下基板１１２に回転可能に支持され、ディスク挿入口１１１に挿入されたディスクをローディング方向Ａおよびイジェクト方向Ｂに搬送するローラ部材１７０と、ローラ部材１７０をディスクの厚み方向Ｄに沿って図２中の下側に付勢する図示しない付勢部材と、ローラ部材１７０の一端に設けられたギヤ１７１に係合し、ローラ部材１７０を回転させる動力源としてのモータ１７２と、識別部１５２の識別結果および光検出部１６０、１６１、１６２の検出結果に基づいて、モータ１７２の回転方向および回転速度を制御することによりローラ部材１７０の動作を制御する制御手段としての制御部１８０とを備えている。
【００５１】
光検出部１６０は、下基板１１２に取り付けられた受光素子１６０ａと、ディスク装置１００の図示しない筐体に取り付けられ、受光素子１６０ａに対向する発光素子１６０ｂとを有しており、ディスク挿入口の幅方向Ｃの左端部側に配置されている。光検出部１６０は、ＨｉまたはＬｏを示す信号を制御部１８０に出力するようになっており、発光素子１６０ｂの光が摺動板１２０またはディスク１０２の記録面によって遮光されて受光素子１６０ａに受光されないときにＨｉを出力し、発光素子１６０ｂの光が受光素子１６０ａに受光されたときにＬｏを出力するようになっている。
【００５２】
光検出部１６１は、下基板１１２に取り付けられた受光素子１６１ａと、ディスク装置１００の図示しない筐体に取り付けられ、受光素子１６１ａに対向する発光素子１６１ｂとを有しており、ディスク挿入口の幅方向Ｃのほぼ中央に配置されている。光検出部１６１は、ＨｉまたはＬｏを示す信号を制御部１８０に出力するようになっており、発光素子１６１ｂの光がディスク１０２の記録面によって遮光されて受光素子１６１ａに受光されないときにＨｉを出力し、発光素子１６１ｂの光が受光素子１６１ａに受光されたときにＬｏを出力するようになっている。
【００５３】
光検出部１６２は、下基板１１２に取り付けられた受光素子１６２ａと、ディスク装置１００の図示しない筐体に取り付けられ、受光素子１６２ａに対向する図示しない発光素子とを有しており、光検出部１６１に対してローディング方向Ａの下流側に配置されている。光検出部１６２は、ＨｉまたはＬｏを示す信号を制御部１８０に出力するようになっており、発光素子の光がディスク１０２の記録面によって遮光されて受光素子１６２ａに受光されないときにＨｉを出力し、発光素子の光が受光素子１６２ａに受光されたときにＬｏを出力するようになっている。
【００５４】
図４において、制御部１８０は、識別部１５２がディスクの１枚挿入を検出した場合にはディスクのローディングを行い、識別部１５２がディスクの１枚挿入途中の抜き取りを検出した場合にはディスクの挿入待ち状態になり、識別部１５２がディスクの２枚挿入を検出した場合にはディスクのローディングを停止するとともにディスクのイジェクトを行うように、ローラ部材１７０の動作を制御するようになっている。また、制御部１８０は、光検出部１５１の検出結果に基づいて、ローラ部材１７０によるディスクのローディングが完了したと判定するようになっている。
【００５５】
下基板１１２のガイド部１１４、１１５には、図３に示すように、ローラ部材１７０をディスクの厚み方向Ｄに移動可能に支持する支持部１１８と、ディスクの厚み方向Ｄに移動するローラ部材１７０をディスクの２枚挿入を防止する位置に規制する規制部１１９とが設けられている。ディスク挿入口１１１に１枚のディスクが挿入された場合には、ローラ部材１７０は、ディスクの厚み方向Ｄに沿って図３中の上側に移動し、規制部１１９に当接しない位置で、ローラ部材１７０と下基板１１２との間に１枚のディスク１０２の厚みにほぼ等しい間隙を形成するようになっている。一方、ディスク挿入口１１１に２枚のディスクが挿入された場合には、ローラ部材１７０は、ディスクの厚み方向Ｄに沿って図３中の上側に移動し、規制部１１９に当接した位置で、ローラ部材１７０と下基板１１２との間に２枚のディスク１０２の厚みよりも小さい間隙を形成するようになっている。
【００５６】
次に、本実施の形態に係るディスク装置の動作について説明する。
【００５７】
まず、図５から図７において、ディスクの１枚挿入が行われた場合の動作について説明する。
【００５８】
ディスク挿入口１１１にディスクが挿入される前の状態、即ち、ディスクの挿入待ち状態では、光検出部１５０の出力は、レバー部材１３０の突起１３４が光検出部１５０の光路に侵入しているためＨｉであり、光検出部１５１の出力は、レバー部材１４０の突起１４４が光検出部１５１の光路から退出しているためＬｏである。また、光検出部１６０、１６１、１６２の出力はＬｏである。
【００５９】
ディスク挿入口１１１にディスク１０２が挿入されると、ディスク１０２の通過によって発光素子１６１ｂから受光素子１６１ａへの光が遮光され、光検出部１６１の出力がＬｏからＨｉに変化する。光検出部１６１の出力がＬｏからＨｉに変化すると、モータ１７２の駆動力を受けてローラ部材１７０が回転する。ディスク１０２がさらに挿入されると、ローラ部材１７０がディスク１０２に接触してディスクのローディングを開始する。
【００６０】
ディスク１０２がローディング方向Ａに搬入されると、ディスク１０２の外周部にピン１２２が当接し、ローディングが継続することにより摺動板１２０が左方向に移動する。摺動板１２０が左方向に移動すると、摺動板１２０の一端にレバー部材１３０の突起１３３が当接しながらレバー部材１３０が時計回り方向に回動する。レバー部材１３０が時計回り方向に回動すると、レバー部材１３０の突起１３４が光検出部１５０の光路から退出して光検出部１５０の出力がＨｉからＬｏに変化する。
【００６１】
ディスク１０２がローディング方向Ａにさらに搬入されると、摺動板１２０が左方向に移動するとともにレバー部材１３０が時計回り方向に回動する。そして、ディスク１０２の外周部にピン１２２が当接した後、摺動板１２０が右方向に移動するとともにレバー部材１３０が反時計回り方向に回動する。レバー部材１３０が反時計回り方向に回動すると、レバー部材１３０の突起１３４が光検出部１５０の光路に侵入して光検出部１５０の出力がＬｏからＨｉに変化し、筐体１０１の突起１０３にレバー部材１３０の突起１３２が当接することによりレバー部材１３０が初期位置に停止する。レバー部材１３０が初期位置に停止した後、摺動板１２０が右方向にさらに移動して停止する。
【００６２】
また、ディスク１０２の外周部にレバー部材１４０の突起１４３が当接しながらレバー部材１４０が反時計回り方向に回動する。レバー部材１４０が反時計回り方向に回動すると、レバー部材１４０の突起１４４が光検出部１５１の光路に侵入して光検出部１５１の出力がＬｏからＨｉに変化する。レバー部材１４０が反時計回り方向にさらに回動すると、レバー部材１４０の突起１４４が光検出部１５１の光路から退出して光検出部１５１の出力がＨｉからＬｏに変化する。そして、ディスク１０２の外周部にレバー部材１４０の突起１４３が当接した後、レバー部材１４０が時計回り方向に回動する。
【００６３】
ローディング方向Ａに搬入されたディスク１０２が図示しないディスク収納部に収納された状態では、レバー部材１４０の突起１４４が光検出部１５１の光路に侵入して光検出部１５１の出力がＬｏからＨｉに変化している。このとき、制御部１８０は、光検出部１５１の出力がＬｏからＨｉに変化したことを検出することによりディスクのローディングが完了したと判定する。
【００６４】
次に、図８において、ディスクのイジェクトが行われた場合の動作について説明する。
【００６５】
ディスク１０２が図示しない検出部によって図示しないディスク収納部またはディスク記録再生部から排出されたことが検出されると、モータ１７２の駆動力を受けてローラ部材１７０が回転する。ディスク１０２がさらに排出されると、ローラ部材１７０がディスク１０２に接触してディスクのイジェクトを開始する。
【００６６】
ディスク１０２がイジェクト方向Ｂに搬出されると、ディスク１０２の通過によって発光素子の光が受光素子１６２ａに受光され、光検出部１６２の出力がＨｉからＬｏに変化する。そして、光検出部１６２の出力がＨｉからＬｏに変化したときに、ローラ部材１７０の回転を停止してディスクのイジェクトを完了する。ディスクのイジェクトが完了したときには、ディスク１０２はローラ部材１７０に係合する位置に保持されており、装置から落下することはない。また、操作者がディスク１０２をローディング方向Ａに押し込むことにより、ディスクのローディングを開始することを可能にしている。
【００６７】
次に、図９から図１１において、ディスクの２枚挿入が行われた場合の動作について説明する。
【００６８】
ディスク挿入口１１１に１枚目のディスク１０２が挿入されると、ディスク１０２の通過によって発光素子１６１ｂから受光素子１６１ａへの光が遮光され、光検出部１６１の出力がＬｏからＨｉに変化する。光検出部１６１の出力がＬｏからＨｉに変化すると、モータ１７２の駆動力を受けてローラ部材１７０が回転する。ディスク１０２がさらに挿入されると、ローラ部材１７０がディスク１０２に接触してディスクのローディングを開始する。
【００６９】
ディスク１０２がローディング方向Ａに搬入されると、ディスク１０２の外周部にピン１２２が当接しながら摺動板１２０が左方向に移動する。摺動板１２０が左方向に移動すると、摺動板１２０の一端にレバー部材１３０の突起１３３が当接しながらレバー部材１３０が時計回り方向に回動する。レバー部材１３０が時計回り方向に回動すると、レバー部材１３０の突起１３４が光検出部１５０の光路から退出して光検出部１５０の出力がＨｉからＬｏに変化する。
【００７０】
ディスク１０２がローディング方向Ａにさらに搬入されると、摺動板１２０が左方向に移動するとともにレバー部材１３０が時計回り方向に回動する。そして、ディスク１０２の外周部にピン１２２が当接した後、摺動板１２０が右方向に移動するとともにレバー部材１３０が反時計回り方向に回動する。
【００７１】
２枚のディスクのずらし量が小さい場合には、２枚目のディスク１０５の外周部にピン１２２が当接しながら摺動板１２０が左方向に移動する。摺動板１２０が左方向に移動すると、摺動板１２０の一端にレバー部材１３０の突起１３３が当接しながらレバー部材１３０が時計回り方向に回動する。このとき、レバー部材１３０の突起１３４は光検出部１５０の光路に侵入せず、図１０に示すように、光検出部１５０の出力はＬｏのままである。
【００７２】
また、ディスク１０２の外周部にレバー部材１４０の突起１４３が当接しながらレバー部材１４０が反時計回り方向に回動する。レバー部材１４０が反時計回り方向に回動すると、レバー部材１４０の突起１４４が光検出部１５１の光路に侵入して光検出部１５１の出力がＬｏからＨｉに変化する。レバー部材１４０が反時計回り方向にさらに回動すると、レバー部材１４０の突起１４４が光検出部１５１の光路から退出して光検出部１５１の出力がＨｉからＬｏに変化する。このように、２枚のディスクのずらし量が小さい場合には、図１０に示すように、光検出部１５１の出力がＨｉからＬｏに変化したときに光検出部１５０の出力がＬｏのままである。このとき、識別部１５２は、光検出部１５１の出力がＨｉからＬｏに変化した後で光検出部１５０の出力がＬｏになっていることを検出することによりディスクの２枚挿入が行われたことを識別する。
【００７３】
一方、２枚のディスクのずらし量が大きい場合には、ディスク１０２の外周部にピン１２２が当接した後、摺動板１２０が右方向に移動するとともにレバー部材１３０が反時計回り方向に回動する。レバー部材１３０が反時計回り方向に回動すると、レバー部材１３０の突起１３４が光検出部１５０の光路に侵入して、図１１に示すように、光検出部１５０の出力がＬｏからＨｉに変化する。そして、２枚目のディスク１０５の外周部にピン１２２が当接しながら摺動板１２０が左方向に移動する。摺動板１２０が左方向に移動すると、摺動板１２０の一端にレバー部材１３０の突起１３３が当接しながらレバー部材１３０が時計回り方向に回動する。レバー部材１３０が時計回り方向に回動すると、レバー部材１３０の突起１３４が光検出部１５０の光路から退出して、図１１に示すように、光検出部１５０の出力がＨｉからＬｏに変化する。
【００７４】
また、ディスク１０２の外周部にレバー部材１４０の突起１４３が当接しながらレバー部材１４０が反時計回り方向に回動する。レバー部材１４０が反時計回り方向に回動すると、レバー部材１４０の突起１４４が光検出部１５１の光路に侵入して光検出部１５１の出力がＬｏからＨｉに変化する。レバー部材１４０が反時計回り方向にさらに回動すると、レバー部材１４０の突起１４４が光検出部１５１の光路から退出して光検出部１５１の出力がＨｉからＬｏに変化する。このように、２枚のディスクのずらし量が大きい場合には、図１１に示すように、光検出部１５１の出力がＨｉからＬｏに変化した後で光検出部１５０の出力がＨｉからＬｏに変化する。このとき、識別部１５２は、光検出部１５１の出力がＨｉからＬｏに変化した後で光検出部１５０の出力がＬｏになっていることを検出することによりディスクの２枚挿入が行われたことを識別する。
【００７５】
次に、図１２および図１３において、ディスクの１枚挿入途中の抜き取りが行われた場合の動作について説明する。
【００７６】
ディスク挿入口１１１にディスク１０２が挿入されると、ディスク１０２の通過によって発光素子１６１ｂから受光素子１６１ａへの光が遮光され、光検出部１６１の出力がＬｏからＨｉに変化する。光検出部１６１の出力がＬｏからＨｉに変化すると、モータ１７２の駆動力を受けてローラ部材１７０が回転する。ディスク１０２がさらに挿入されると、ローラ部材１７０がディスク１０２に接触してディスクのローディングを開始する。
【００７７】
ディスク１０２がローディング方向Ａに搬入されると、ディスク１０２の外周部にピン１２２が当接しながら摺動板１２０が左方向に移動する。摺動板１２０が左方向に移動すると、摺動板１２０の一端にレバー部材１３０の突起１３３が当接しながらレバー部材１３０が時計回り方向に回動する。レバー部材１３０が時計回り方向に回動すると、レバー部材１３０の突起１３４が光検出部１５０の光路から退出して光検出部１５０の出力がＨｉからＬｏに変化する。
【００７８】
ディスク１０２がローディング方向Ａにさらに搬入されると、摺動板１２０が左方向に移動するとともにレバー部材１３０が時計回り方向に回動する。そして、ディスク１０２の外周部にピン１２２が当接した後、摺動板１２０が右方向に移動するとともにレバー部材１３０が反時計回り方向に回動する。レバー部材１３０が反時計回り方向に回動すると、レバー部材１３０の突起１３４が光検出部１５０の光路に侵入して光検出部１５０の出力がＬｏからＨｉに変化する。このとき、ディスク１０２がイジェクト方向Ｂに抜き取られると、抜き取られるディスク１０２の外周部にピン１２２が当接しながら摺動板１２０が左方向に移動する。摺動板１２０が左方向に移動すると、摺動板１２０の一端にレバー部材１３０の突起１３３が当接しながらレバー部材１３０が時計回り方向に回動する。レバー部材１３０が時計回り方向に回動すると、レバー部材１３０の突起１３４が光検出部１５０の光路から退出して光検出部１５０の出力がＨｉからＬｏに変化する。
【００７９】
また、ディスク１０２の外周部にレバー部材１４０の突起１４３が当接しながらレバー部材１４０が反時計回り方向に回動する。レバー部材１４０が反時計回り方向に回動すると、レバー部材１４０の突起１４４が光検出部１５１の光路に侵入して光検出部１５１の出力がＬｏからＨｉに変化する。このとき、ディスク１０２がイジェクト方向Ｂに抜き取られると、抜き取られるディスク１０２の外周部にレバー部材１４０の突起１４３が当接しながらレバー部材１４０が時計回り方向に回動する。レバー部材１４０が時計回り方向に回動すると、レバー部材１４０の突起１４４が光検出部１５１の光路から退出して光検出部１５１の出力がＨｉからＬｏに変化する。このように、ディスクの１枚挿入途中の抜き取りを行う場合には、光検出部１５１の出力がＨｉからＬｏに変化したときに光検出部１５０の出力がＨｉからＬｏに変化する。このとき、識別部１５２は、光検出部１５１の出力がＨｉからＬｏに変化した後で光検出部１５０の出力がＬｏになっていることを検出することによりディスクの１枚挿入途中の抜き取りが行われたことを識別する。
【００８０】
このように、識別部１５２は、光検出部１５０の出力を検出することにより、ディスクの２枚挿入、ディスクの１枚挿入途中の抜き取りなど、ディスクが正常に挿入されなかったことを識別することができる。そして、ディスクが正常に挿入されなかったことを識別した場合には、制御部１８０が、ローラ部材１７０の回転を停止することによりディスクのローディングを停止するとともに、ローラ部材１７０の回転方向を逆転することによりディスクのイジェクトを行う。
【００８１】
なお、本実施の形態において、識別部１５２が、ディスクの２枚挿入、ディスクの１枚挿入途中の抜き取りなど、ディスクが正常に挿入されなかったことを識別した場合には、制御部１８０が、ディスクのローディングを停止するとともにディスクのイジェクトを行うように構成されているが、ローラ部材１７０の回転を停止することによりディスクのローディングを停止するように構成してもよい。
（第２の実施の形態）
【００８２】
図１４から図１９は、本発明の第２の実施の形態に係るディスク装置を示す図である。
【００８３】
まず、本実施の形態に係るディスク装置の構成について説明する。なお、第１の実施の形態に係るディスク装置の構成とほぼ同様な構成については、第１の実施の形態において使用した符号と同一の符号を付して詳細な説明を省略する。
【００８４】
図１４および図１５において、ディスク装置２００は、摺動板１２０に当接しながら回動する第１の回動部材としてのレバー部材２３０と、レバー部材２３０よりもローディング方向Ａ奥側に配置され、ディスクの外周部に当接しながらローディングすることにより回動する第２の回動部材としてのレバー部材２４０と、レバー部材２３０の回動軸２３１と同一の回動軸を中心に回動する第３の回動部材としてのレバー部材２９０と、レバー部材２９０がレバー部材２３０に当接する方向にレバー部材２９０を付勢する付勢部材としてのバネ２７１と、レバー部材２９０の動作を検出する第１の検出手段としての光検出部２５０と、レバー部材２４０の動作を検出する第２の検出手段としての光検出部２５１と、光検出部２５０および光検出部２５１の検出結果に基づいて、ディスク挿入口１１１に挿入されたディスクの挿入状態を識別する識別手段としての識別部２５２とを備えている。
【００８５】
レバー部材２３０は、筐体１０１に支持され、回動軸２３１を中心に回動可能となっている。レバー部材２３０は、筐体１０１に設けられた突起１０３に当接する突起２３２と、摺動板１２０の一端に当接する突起２３３とを有しており、図示しないバネにより図１４中の反時計回り方向に付勢されている。レバー部材２３０は、筐体１０１の突起１０３に突起２３２が当接することにより図１４に示す初期位置に保持されている。レバー部材２３０は、図１４中の左方向に移動した摺動板１２０の一端に突起２３３が当接しながら図１４中の時計回り方向に回動するようになっている。
【００８６】
レバー部材２４０は、筐体１０１に支持され、回動軸２４１を中心に回動可能となっている。レバー部材２４０は、筐体１０１に設けられた突起１０４に当接する突起２４２と、ディスク挿入口１１１に挿入されたディスクに当接する突起２４３とを有しており、図示しないバネにより図１４中の時計回り方向に付勢されている。レバー部材２４０は、筐体１０１の突起１０４に突起２４２が当接することにより図１４に示す初期位置に保持されている。レバー部材２４０は、ディスク挿入口１１１に挿入されたディスクに突起２４３が当接しながら図１４中の反時計回り方向に回動するようになっている。
【００８７】
レバー部材２９０は、筐体１０１に支持され、回動軸２３１を中心に回動可能となっている。レバー部材２９０は、レバー部材２４０の回動軸２４１の外側に設けられた被係合部２４５に係合する係合部２９２と、レバー部材２３０に設けられた突起２３５に当接する突起２９４とを有しており、バネ２７１により図１４中の時計回り方向に付勢されている。レバー部材２９０は、レバー部材２３０の突起２３５に突起２９４が当接することにより図１４に示す初期位置に保持されている。レバー部材２４０およびレバー部材２９０が初期位置に保持されている場合には、被係合部２４５と係合部２９２との間の隙間は極少に保たれている。
【００８８】
光検出部２５０は、発光体としての発光素子と発光素子に対向する受光体としての受光素子とを有するフォトインタプラタによって構成されており、筐体１０１に設けられている。光検出部２５０は、レバー部材２９０の突起２９４の動作を検出することにより、レバー部材２９０の動作を検出するようになっている。光検出部２５０は、ＨｉまたはＬｏを示す信号を識別部２５２に出力するようになっており、レバー部材２９０の突起２９４が発光素子と受光素子との間の光路に侵入して発光素子の光が受光素子に受光されないときにＨｉを出力し、レバー部材２９０の突起２９４が発光素子と受光素子との間の光路から退出して発光素子の光が受光素子に受光されたときにＬｏを出力するようになっている。
【００８９】
光検出部２５１は、発光体としての発光素子と発光素子に対向する受光体としての受光素子とを有するフォトインタプラタによって構成されており、筐体１０１に設けられている。光検出部２５１は、レバー部材２４０に設けられた突起２４４の動作を検出することにより、レバー部材２４０の動作を検出するようになっている。光検出部２５１は、ＨｉまたはＬｏを示す信号を識別部２５２に出力するようになっており、レバー部材２４０の突起２４４が発光素子と受光素子との間の光路に侵入して発光素子の光が受光素子に受光されないときにＨｉを出力し、レバー部材２４０の突起２４４が発光素子と受光素子との間の光路から退出して発光素子の光が受光素子に受光されたときにＬｏを出力するようになっている。
【００９０】
また、ディスク装置２００は、識別部２５２の識別結果および光検出部１６０、１６１、１６２の検出結果に基づいて、モータ１７２の回転方向および回転速度を制御することによりローラ部材１７０の動作を制御する制御手段としての制御部２８０とを備えている。
【００９１】
図１５において、制御部２８０は、識別部２５２がディスク１０２の１枚挿入を検出した場合にはディスクのローディングを行い、識別部２５２がディスクの１枚挿入途中の抜き取りを検出した場合にはディスクの挿入待ち状態になり、識別部２５２がディスク１０２の２枚挿入を検出した場合にはディスクのローディングを停止するとともにディスクのイジェクトを行うように、ローラ部材１７０の動作を制御するようになっている。また、制御部２８０は、光検出部２５１の検出結果に基づいて、ローラ部材１７０によるディスクのローディングが完了したことを検出するようになっている。
【００９２】
次に、本実施の形態に係るディスク装置の動作について説明する。
【００９３】
まず、図１６および図１７において、ディスクの１枚挿入が行われた場合の動作について説明する。
【００９４】
ディスク挿入口１１１にディスクが挿入される前の状態、即ち、ディスクの挿入待ち状態では、光検出部２５０の出力は、レバー部材２９０の突起２９４が光検出部２５０の光路に侵入しているためＨｉであり、光検出部２５１の出力は、レバー部材２４０の突起２４４が光検出部２５１の光路から退出しているためＬｏである。また、光検出部１６０、１６１、１６２の出力はＬｏである。
【００９５】
ディスク挿入口１１１にディスク１０２が挿入されると、ディスク１０２の通過によって発光素子１６１ｂから受光素子１６１ａへの光が遮光され、光検出部１６１の出力がＬｏからＨｉに変化する。光検出部１６１の出力がＬｏからＨｉに変化すると、モータ１７２の駆動力を受けてローラ部材１７０が回転する。ディスク１０２がさらに挿入されると、ローラ部材１７０がディスク１０２に接触してディスクのローディングを開始する。
【００９６】
ディスク１０２がローディング方向Ａに搬入されると、ディスク１０２の外周部にピン１２２が当接し、ローディングが継続することにより摺動板１２０が左方向に移動する。摺動板１２０が左方向に移動すると、摺動板１２０の一端にレバー部材２３０の突起２３３が当接しながらレバー部材２３０が時計回り方向に回動する。レバー部材２３０が時計回り方向に回動すると、レバー部材２４０の被係合部２４５にレバー部材２９０の係合部２９２が係合することによりレバー部材２９０の時計回り方向の回動が防止され、レバー部材２９０が初期位置に保持される。このとき、レバー部材２９０の突起２９４は光検出部１５０の光路に侵入しているので、光検出部２５０の出力はＨｉのままである。
【００９７】
ディスク１０２がローディング方向Ａにさらに搬入されると、摺動板１２０が左方向に移動するとともにレバー部材２３０が時計回り方向に回動する。そして、ディスク１０２の外周部にピン１２２が当接した後、摺動板１２０が右方向に移動するとともにレバー部材２３０が反時計回り方向に回動し、筐体１０１の突起１０３にレバー部材２３０の突起２３２が当接することによりレバー部材２３０が初期位置に停止する。レバー部材２３０が初期位置に停止した後、摺動板１２０が右方向にさらに移動して停止する。
【００９８】
また、ディスク１０２の外周部にレバー部材２４０の突起２４３が当接しながらレバー部材２４０が反時計回り方向に回動する。レバー部材２４０が反時計回り方向に回動すると、レバー部材２４０の突起２４４が光検出部２５１の光路に侵入して光検出部２５１の出力がＬｏからＨｉに変化する。レバー部材２４０が反時計回り方向、即ち、レバー部材２４０の被係合部２４５がレバー部材２９０の係合部２９２から離隔する方向に回動すると、初期位置に停止しているレバー部材２３０の突起２３５にレバー部材２９０の突起２９４が当接することによりレバー部材２９０の時計回り方向の回動が防止され、レバー部材２９０が初期位置に保持される。このとき、レバー部材２９０の突起２９４は光検出部１５０の光路に侵入しているので、光検出部２５０の出力はＨｉのままである。
【００９９】
レバー部材２４０がさらに反時計回り方向に回動すると、レバー部材２４０の突起２４４が光検出部２５１の光路から退出して光検出部２５１の出力がＨｉからＬｏに変化する。そして、ディスク１０２の外周部にレバー部材２４０の突起２４３が当接した後、レバー部材２４０が時計回り方向に回動する。
【０１００】
ローディング方向Ａに搬入されたディスク１０２が図示しないディスク収納部に収納された状態では、レバー部材２４０の突起２４４が光検出部２５１の光路に侵入して光検出部２５１の出力がＬｏからＨｉに変化している。このとき、制御部２８０は、光検出部２５１の出力がＬｏからＨｉに変化したことを検出することによりディスクのローディングが完了したと判定する。
【０１０１】
次に、ディスクのイジェクトが行われた場合の動作について説明する。
【０１０２】
ディスク１０２が図示しない検出部によって図示しないディスク収納部またはディスク記録再生部から排出されたことが検出されると、モータ１７２の駆動力を受けてローラ部材１７０が回転する。ディスク１０２がさらに排出されると、ローラ部材１７０がディスク１０２に接触してディスクのイジェクトを開始する。
【０１０３】
ディスク１０２がイジェクト方向Ｂに搬出されると、ディスク１０２の通過によって発光素子の光が受光素子１６２ａに受光され、光検出部１６２の出力がＨｉからＬｏに変化する。そして、光検出部１６２の出力がＨｉからＬｏに変化したときに、ローラ部材１７０の回転を停止してディスクのイジェクトを完了する。ディスクのイジェクトが完了したときには、ディスク１０２はローラ部材１７０に係合する位置に保持されており、装置から落下することはない。また、操作者がディスク１０２をローディング方向Ａに押し込むことにより、ディスクのローディングを開始することを可能にしている。
【０１０４】
ディスクのイジェクトが行われた場合の光検出部２５０および光検出部２５１の出力は、図１７に示した光検出部２５０および光検出部２５１の出力をローディング終了側からローディング開始側に経過させたものと同じであり、ディスクの１枚挿入が行われた場合およびディスクのイジェクトが行われた場合には、光検出部２５０の出力は常にＨｉになっている。また、ディスクの１枚挿入途中の抜き取りが行われた場合でも同様に、光検出部２５０の出力は常にＨｉになっている。
【０１０５】
次に、図１８および図１９において、ディスクの２枚挿入が行われた場合の動作について説明する。
【０１０６】
ディスク挿入口１１１に１枚目のディスク１０２が挿入されると、ディスク１０２の通過によって発光素子１６１ｂから受光素子１６１ａへの光が遮光され、光検出部１６１の出力がＬｏからＨｉに変化する。光検出部１６１の出力がＬｏからＨｉに変化すると、モータ１７２の駆動力を受けてローラ部材１７０が回転する。ディスク１０２がさらに挿入されると、ローラ部材１７０がディスク１０２に接触してディスクのローディングを開始する。
【０１０７】
ディスク１０２がローディング方向Ａに搬入されると、ディスク１０２の外周部にピン１２２が当接しながら摺動板１２０が左方向に移動する。摺動板１２０が左方向に移動すると、摺動板１２０の一端にレバー部材２３０の突起２３３が当接しながらレバー部材２３０が時計回り方向に回動する。レバー部材２３０が時計回り方向に回動すると、レバー部材２４０の被係合部２４５にレバー部材２９０の係合部２９２が係合することによりレバー部材２９０の時計回り方向の回動が防止され、レバー部材２９０が初期位置に保持される。このとき、レバー部材２９０の突起２９４は光検出部１５０の光路に侵入しているので、光検出部２５０の出力はＨｉのままである。
【０１０８】
ディスク１０２がローディング方向Ａにさらに搬入されると、摺動板１２０が左方向に移動するとともにレバー部材１３０が時計回り方向に回動する。そして、ディスク１０２の外周部にピン１２２が当接した後、摺動板１２０が右方向に移動するとともにレバー部材１３０が反時計回り方向に回動する。
【０１０９】
また、ディスク１０２の外周部にレバー部材２４０の突起２４３が当接しながらレバー部材２４０が反時計回り方向、即ち、レバー部材２４０の被係合部２４５がレバー部材２９０の係合部２９２から離隔する方向に回動する。レバー部材２４０が反時計回り方向に回動すると、レバー部材２４０の突起２４４が光検出部２５１の光路に侵入して光検出部２５１の出力がＬｏからＨｉに変化する。レバー部材２４０が反時計回り方向にさらに回動すると、レバー部材２４０の突起２４４が光検出部２５１の光路から退出して光検出部２５１の出力がＨｉからＬｏに変化する。
【０１１０】
２枚目のディスク１０２がローディング方向Ａに搬入されると、ディスク１０２の外周部にピン１２２が当接しながら摺動板１２０が左方向に移動する。摺動板１２０が左方向に移動すると、摺動板１２０の一端にレバー部材２３０の突起２３３が当接しながらレバー部材２３０が時計回り方向に回動する。このとき、レバー部材２４０の被係合部２４５がレバー部材２９０の係合部２９２から離隔する方向に回動しているので、バネ２７１に付勢されたレバー部材２９０は時計回り方向に回動する。
【０１１１】
レバー部材２９０が時計回り方向に回動すると、レバー部材２９０の突起２９４が光検出部２５０の光路から退出して光検出部２５０の出力がＨｉからＬｏに変化する。このように、ディスクの２枚挿入が行われた場合には、光検出部２５１の出力がＨｉからＬｏに変化した後で光検出部２５０の出力がＨｉからＬｏに変化する。このとき、識別部２５２は、光検出部２５１の出力がＨｉからＬｏに変化した後で光検出部２５０の出力がＬｏになっていることを検出することによりディスクの２枚挿入が行われたことを識別する。
【０１１２】
このように、識別部２５２は、光検出部２５０の出力を検出することにより、ディスクの２枚挿入が行われたことを識別することができる。そして、ディスクの２枚挿入が行われたことを識別した場合には、制御部２８０が、ローラ部材１７０の回転を停止することによりディスクのローディングを停止するとともに、ローラ部材１７０の回転方向を逆転することによりディスクのイジェクトを行う。
【０１１３】
また、識別部２５２は、光検出部２５０の出力を検出することにより、ディスクの１枚挿入途中の抜き取りが行われたことを識別することができる。そして、ディスクの１枚挿入途中の抜き取りが行われたことを識別した場合には、制御部２８０が、ローラ部材１７０の動作を制御することにより通常の挿入待ち状態で待機することができる。
【０１１４】
なお、本実施の形態において、識別部２５２が、ディスクの２枚挿入など、ディスクが正常に挿入されなかったことを識別した場合には、制御部２８０が、ディスクのローディングを停止するとともにディスクのイジェクトを行うように構成されているが、ローラ部材１７０の回転を停止することによりディスクのローディングを停止するように構成してもよい。
【０１１５】
【発明の効果】
以上説明したように、本発明によれば、ディスクの２枚挿入を確実に検出することができるディスク装置を提供することができる。
【図面の簡単な説明】
【図１】本発明の第１の実施の形態に係るディスク装置の上面図
【図２】図１に示されたディスク装置の正面図
【図３】図１に示されたディスク装置の基板部材の側面図
【図４】図１に示されたディスク装置の概略構成を示すブロック図
【図５】図１に示されたディスク装置のディスク識別動作を示す上面図
【図６】図１に示されたディスク装置のディスク識別動作を示す上面図
【図７】図１に示されたディスク装置のディスク識別動作を示すタイミングチャート
【図８】図１に示されたディスク装置のディスク識別動作を示す上面図
【図９】図１に示されたディスク装置のディスク識別動作を示す上面図
【図１０】図１に示されたディスク装置のディスク識別動作を示すタイミングチャート
【図１１】図１に示されたディスク装置のディスク識別動作を示すタイミングチャート
【図１２】図１に示されたディスク装置のディスク識別動作を示す上面図
【図１３】図１に示されたディスク装置のディスク識別動作を示すタイミングチャート
【図１４】本発明の第１の実施の形態に係るディスク装置の上面図
【図１５】図１４に示されたディスク装置の概略構成を示すブロック図
【図１６】図１４に示されたディスク装置のディスク識別動作を示す上面図
【図１７】図１４に示されたディスク装置のディスク識別動作を示すタイミングチャート
【図１８】図１４に示されたディスク装置のディスク識別動作を示す上面図
【図１９】図１４に示されたディスク装置のディスク識別動作を示すタイミングチャート
【図２０】従来のディスク装置の上面図
【図２１】図２０に示された従来のディスク装置の正面図
【図２２】図２０に示された従来のディスク装置のディスク識別動作を示す上面図
【図２３】図２０に示された従来のディスク装置のディスク識別動作を示す上面図
【符号の説明】
１００、２００　ディスク装置
１０２、１０５　ディスク
１１０　基板部材
１１１　ディスク挿入口
１１８　支持部
１１９　規制部
１２０　摺動板（作動部材）
１３０　レバー部材（第１の回動部材）
１４０　レバー部材（第２の回動部材）
１５０　光検出部（第１の検出手段）
１５１　光検出部（第２の検出手段）
１５２　識別部（識別手段）
１６０、１６１、１６２　光検出部（光検出手段）
１７０　ローラ部材
１８０　制御部（制御手段）
２３０　レバー部材（第１の回動部材）
２３１　回動軸
２４０　レバー部材（第２の回動部材）
２４１　回動軸
２４５　被係合部
２５０　光検出部（第１の検出手段）
２５１　光検出部（第２の検出手段）
２５２　識別部（識別手段）
２７１　バネ（付勢部材）
２８０　制御部（制御手段）
２９０　レバー部材（第３の回動部材）
２９２　係合部
【図１】
2004022128.tif 000003
【図２】
2004022128.tif 000004
【図３】
2004022128.tif 000005
【図４】
2004022128.tif 000006
【図５】
2004022128.tif 000007
【図６】
2004022128.tif 000008
【図７】
2004022128.tif 000009
【図８】
2004022128.tif 000010
【図９】
2004022128.tif 000011
【図１０】
2004022128.tif 000012
【図１１】
2004022128.tif 000013
【図１２】
2004022128.tif 000014
【図１３】
2004022128.tif 000015
【図１４】
2004022128.tif 000016
【図１５】
2004022128.tif 000017
【図１６】
2004022128.tif 000018
【図１７】
2004022128.tif 000019
【図１８】
2004022128.tif 000020
【図１９】
2004022128.tif 000021
【図２０】
2004022128.tif 000022
【図２１】
2004022128.tif 000023
【図２２】
2004022128.tif 000024
【図２３】
2004022128.tif 000025